(57)【特許請求の範囲】
【請求項１】
装置本体前面に取り付け、底面に硬貨が通るスリットを形成した投入硬貨受皿と、
前記投入硬貨受皿の前記スリットを通った硬貨を処理する硬貨処理部と、
販売する物品の種類の選択操作を受け付ける操作部と、
前記操作部で選択操作を受け付けた種類の物品を放出する物品放出部と、を備え、
前記スリットの向きは、装置本体の前後方向であり、
前記投入硬貨受皿は、内周面を前記スリットから上方に向かって広がる傾斜面で形成し、且つ、前記スリットに直交する向きに位置する装置本体前面側の内周面の上方に凹みを設けた形状である、物品販売装置。
【請求項２】
前記凹みの中心が、前記スリットの延長線上に位置する、請求項１に記載の物品販売装置。
【請求項３】
前記凹みの平面形状は、半円形状である、請求項１、または２に記載の物品販売装置。
【発明の詳細な説明】
【技術分野】
【０００１】
この発明は、キップ、定期券、プリペイドカード、飲料等の物品を販売する物品販売装置に関する。
【背景技術】
【０００２】
従来、キップ、定期券、プリペイドカード等の乗車券を販売（発行）する券売機には、利用者の利便性の向上を図る目的で、利用者が複数枚の硬貨を一度に入れることができるように構成したものがある。
【０００３】
具体的には、特許文献１や特許文献２等に記載されているように、利用者が複数枚の硬貨を一度に入れる投入硬貨受皿を設けている。この投入硬貨受皿は、底面に本体内部に設けた硬貨処理部の硬貨投入口に連通するスリットを形成している。投入硬貨受皿は、その内周面を、このスリットから上方に向かって広がる傾斜面で形成し、上面の開口面を大きくしている。したがって、利用者は、複数枚の硬貨を一度に投入硬貨受皿に入れる（落とし込む）ことができる。投入硬貨受皿に入れられた各硬貨は、投入硬貨受皿の内周面に沿って、底面に形成されているスリットに向かって滑り落ち、このスリットを通って、本体内部に設けた硬貨処理部に投入される。
【０００４】
硬貨処理部は、投入された硬貨毎に、その金種や真偽を識別し、利用者の投入金額を算出する。また、券売機は、操作部において、発行する乗車券の種類の選択操作を受け付け、選択された種類の乗車券を発行する。また、硬貨処理部は、乗車券を発行した利用者に対して、釣銭を放出する必要があれば、釣銭の放出にかかる処理を行う。
【先行技術文献】
【特許文献】
【０００５】
【特許文献１】特開２００７−  ７９７３４号公報
【特許文献２】特開２００３−１６２７５４号公報
【発明の概要】
【発明が解決しようとする課題】
【０００６】
しかしながら、利用者が投入硬貨受皿に入れた硬貨が、スリットに直交する向きに滑り落ちる傾斜面に寄り掛かった状態で投入硬貨受皿内に留まることがある。この場合、利用者は、この投入硬貨受皿に止まっている硬貨をつまみ上げる等して、当該硬貨を回転させて、スリットを通過させていた。
【０００７】
投入硬貨受皿に留まっている硬貨は、スリットに直交する向きに滑り落ちる傾斜面に合わさっている。したがって、利用者が当該硬貨をつかみにくかった。このため、投入硬貨受皿に止まっている硬貨を回転させて、スリットを通過させるのに手間がかかるという問題があった。
【０００８】
この発明の目的は、スリットを通過できずに投入硬貨受皿に留まった硬貨の向きを容易に変化させて、スリットを通過させることができ、利用者の使い勝手を向上させた物品販売装置を提供することにある。
【課題を解決するための手段】
【０００９】
この発明の物品販売装置は、上述の課題を解決し、その目的を達するために、以下のように構成している。
【００１０】
この物品販売装置は、投入硬貨受皿を装置本体前面に取り付けている。投入硬貨受皿には、底面に硬貨が通るスリットが形成されている。このスリットの向きは、装置本体の前後方向である。硬貨処理部は、投入硬貨受皿のスリットを通った硬貨を処理する。硬貨処理部は、硬貨毎に、その金種や真偽を識別し、投入金額を算出する等の処理を行う。また、操作部において、販売する物品の種類の選択操作を受け付ける。物品放出部は、操作部で選択操作を受け付けた種類の物品（例えば、キップ、定期券、プリペイドカード等の乗車券や、飲料）を放出する。
【００１１】
さらに、投入硬貨受皿は、内周面をスリットから上方に向かって広がる傾斜面で形成し、上面の開口面を大きくしている。したがって、利用者は、複数枚の硬貨を一度に硬貨受皿に入れることができる。しかも、投入硬貨受皿は、底面に形成したスリットに直交する向きに位置する装置本体前面側の内周面の上方に凹みを設けている。このため、スリットを通過できずに投入硬貨受皿に留まった硬貨と、凹みとの間に隙間ができ、この隙間に指先を入れることによって、簡単に、当該硬貨を回転させ、スリットを通過させることができる。
【００１２】
この凹みは、その中心がスリットの延長線上に位置するように設ければよい。また、凹みの平面形状は、角のない半円形状に形成するのが好ましい。
【発明の効果】
【００１３】
この発明によれば、スリットを通過できずに投入硬貨受皿に留まった硬貨の向きを容易に変化させて、スリットを通過させることができる。したがって、利用者の使い勝手の向上が図れる。
【図面の簡単な説明】
【００１４】
【図１】券売機の主要部の構成を示すブロック図である。
【図２】券売機の外観を示す斜視図である。
【図３】投入硬貨受皿の拡大図である。
【図４】投入硬貨受皿の上面図である。
【図５】投入硬貨受皿の断面図である。
【図６】投入硬貨受皿の断面図である。
【図７】投入硬貨受皿に止まった硬貨を示す図である。
【図８】投入硬貨受皿に止まった硬貨を示す図である。
【発明を実施するための形態】
【００１５】
以下、この発明の実施形態である券売機について説明する。
【００１６】
図１は、この券売機の主要部の構成を示すブロック図である。図２は、券売機の外観を示す斜視図である。この券売機１は、制御部２と、表示部３と、操作部４と、乗車券発行部５と、硬貨処理部６と、紙幣処理部７と、通信部８と、を備えている。券売機１は、駅の乗車券売り場に設置される。券売機１は、利用者に対してキップ、定期券、プリペイドカード等の乗車券を販売（発行）する。
【００１７】
制御部２は、券売機１本体各部の動作を制御する。表示部３は、図２に示すように、本体正面に設けた表示器３ａを有し、この表示器３ａにおける画面表示を制御する。操作部４は、表示器３ａの画面上に貼付したタッチパネル４ａや、テンキーを有するキー操作部等の入力デバイスを有する。操作部４は、入力デバイスにおける利用者の入力操作を検出し、これを制御部２に通知する。
【００１８】
乗車券発行部５は、利用者に対して発行するキップを発券口５ａに放出する。発券口５ａは、図２に示すように、本体正面左側に設けている。また、券売機１は、カードの挿入や放出を行うカード挿入／放出口５ｂを発券口５ａの上側に設けている。乗車券発行部５は、カード挿入／放出口５ｂにおいて挿入されたカードを取り込み、このカードに記録されているカードデータの読み取りや、このカードに対するカードデータの書き込み（カードデータの更新）等を行うカード処理部を有している。カード挿入／放出口５ｂには、入金（所謂、チャージ）するプリペイドカードや、乗車券の購入に用いるクレジットカード等（以下、総称して単にカードと言う。）が挿入される。
【００１９】
硬貨処理部６は、乗車券の発券等にかかる取引金額の精算に用いる硬貨を受け付けるとともに、利用者に対して釣銭硬貨の放出を行う。硬貨処理部６は、利用者が投入した硬貨（投入硬貨）や、利用者に対して放出する硬貨（釣銭硬貨）について、金種や真偽や識別する硬貨識別部（不図示）を有している。また、本体内部には、硬貨を金種別に分けて収納する硬貨スタッカ（不図示）が設けられている。
【００２０】
また、券売機１は、図２に示すように、本体正面右側に投入硬貨受皿６ａを取り付けている。この投入硬貨受皿６ａは、券売機１本体の設置場所の床面から１ｍ程度の高さであり、操作部４の入力デバイス（表示器３ａの画面上に貼付したタッチパネル４ａや、テンキーを有するキー操作部等）よりも下方に位置する。また、券売機１は、図２に示すように本体中央に釣銭硬貨受皿６ｂを取り付けている。この釣銭硬貨受皿６ｂは、投入硬貨受皿６ａよりも下方に位置し、券売機１本体の設置場所の床面から８００ｍｍ程度の高さである。
【００２１】
投入硬貨受皿６ａは、底面に硬貨処理部６の投入口に連通するスリットを形成している。利用者が投入硬貨受皿６ａに入れた硬貨は、このスリットを通って、硬貨処理部６に投入される。この投入硬貨受皿６ａの詳細については、後述する。また、硬貨処理部６の釣銭放出口（不図示）は、釣銭硬貨受皿６ｂの上方に位置している。この釣銭放出口から放出された硬貨（釣銭硬貨や、金種等が識別できなかった投入硬貨）は、釣銭硬貨受皿６ｂに溜まる。
【００２２】
紙幣処理部７は、乗車券の発券等にかかる取引金額の精算に用いる紙幣を受け付けるとともに、利用者に対して釣銭紙幣の放出を行う。本体正面には、紙幣の挿入や放出を行う紙幣挿入／放出口７ａが設けられている。この紙幣挿入／放出口７ａは、図２に示すように、釣銭硬貨受皿６ｂの上方で、投入硬貨受皿６ａの隣に設けている。紙幣処理部７は、本体正面に設けた紙幣挿入／放出口７ａにおいて利用者が挿入した紙幣や、利用者に対して放出する釣銭紙幣について、金種や真偽を識別する紙幣識別部（不図示）を有している。また、本体内部には、紙幣を金種別に分けて収納する紙幣スタッカ（不図示）が設けられている。紙幣処理部７は、投入された紙幣を紙幣搬送路に沿って搬送し、該当する金種の紙幣スタッカに収納する。また、紙幣処理部７は、この紙幣スタッカから、利用者に対して放出する釣銭紙幣を繰り出し、紙幣搬送路に沿って搬送し、紙幣挿入／放出口７ａに放出する。
【００２３】
通信部８は、上位装置（不図示）や、同じコーナに設置されている券売機１との間における通信を制御する。
【００２４】
次に、投入硬貨受皿６ａについて詳細に説明する。図３は、券売機に取り付けた投入硬貨受皿の拡大図である。また、図４は、投入硬貨受皿の上面図である。投入硬貨受皿６ａは、底面に硬貨処理部６の投入口に連通するスリット１１を形成している。このスリット１１は、券売機１の取り扱い金種の硬貨の中で、その外形が最大の硬貨（例えば、５００円硬貨）が通過できる大きさである。例えば、幅３ｍｍ、長さ３０ｍｍ程度の大きさの矩形である。スリット１１は、図３に示すように、券売機１本体の前後方向に形成している。
【００２５】
投入硬貨受皿６ａは、スリット１１の辺毎に設けた、上方に向かって広がる略台形形状の４つの傾斜面によって、内周面を形成している。投入硬貨受皿６ａの上面（開口面）は、券売機１の幅方向が１２０ｍｍ、券売機１の前後方向が６０ｍｍ程度の大きさの矩形形状である。投入硬貨受皿６ａは、図示するように、略四角柱形状である。投入硬貨受皿６ａの深さ（上端部から、スリット１１が形成されている底面までの深さ）は、５０ｍｍ程度である。投入硬貨受皿６ａの各周面は、上述したように、スリット１１に向かって傾斜している傾斜面である。
【００２６】
図５、および図６は、投入硬貨受皿の断面図である。図５は、図４に示すＡ−Ａ方向（幅方向）の断面図であり、図６は、図４に示すＢ−Ｂ方向（奥行き方向）の断面図である。投入硬貨受皿６ａは、券売機１の幅方向に位置する両側の内周面（以下、投入硬貨受皿６ａの側面と言う。）は、図５に示すように、スリット１１に向かって略一定の傾斜角で傾斜している。
【００２７】
なお、投入硬貨受皿６ａの両側面は、同じ傾斜角であってもよいし、異なる傾斜角であってもよい。
【００２８】
また、投入硬貨受皿６ａは、券売機１の前後方向に位置する２つの内周面の内、正面側に位置する内周面（以下、投入硬貨受皿６ａの前面と言う。）は、図６に示すように、上方からスリット１１に向かって略一定の傾斜角で傾斜している第１の傾斜面２１と、この第１の傾斜面２１に連続し、スリット１１（投入硬貨受皿６ａの底面）に対して略垂直に立設する第２の傾斜面２２と、で形成している。第１の傾斜面２１と、第２の傾斜面２２と、の境界は、スリット１１から３０ｍｍ程度の深さである。第２の傾斜面２２は、第１の傾斜面２１よりも急勾配である。言い換えれば、第１の傾斜面２１は、第２の傾斜面２２に比べて傾斜角が緩やかである。第１の傾斜面２１と、第２の傾斜面２２と、の境界における、この投入硬貨受皿６ａの前面の幅は、一般的な人の人差指から小指までの４指の幅よりも少し広い８０ｍｍ以上である。このため、第１の傾斜面２１と、第２の傾斜面２２と、の境界よりも下方に、一方の手の人差指から小指までの４本の指（人差指、中指、薬指、小指）の指先を無理なく入れることができる。
【００２９】
また、第１の傾斜面２１には、凹み２１ａを形成している。この凹み２１ａの平面形状は、スリット１１の延長線上の位置を中心とし、直径３０ｍｍ程度の半円形状である。この凹み２１ａの下端は、第１の傾斜面２１と、第２の傾斜面２２と、の境界に達している。また、この凹み２１ａの深さは、数ｍｍ（３〜５ｍｍ程度）である。
【００３０】
さらに、投入硬貨受皿６ａの本体奥側の周面（以下、投入硬貨受皿６ａの後面と言う。）は、両側の内周面と同様に、スリット１１に向かって略一定の傾斜角で傾斜している傾斜面で形成してもよいが、ここでは、図６に示すように、上述した前面と同様に、傾斜角の異なる２つの傾斜面で形成している。
【００３１】
また、この券売機１では、図２や図３に示すように、投入硬貨受皿６ａを本体正面側に傾けて取り付けている。したがって、投入硬貨受皿６ａに入れられた硬貨は、両側面、および前面に沿って滑り落ちるが、後面に沿って落ちることはない。
【００３２】
なお、この投入硬貨受皿６ａについては券売機１に対して略水平に取り付けてもよい。この場合には、投入硬貨受皿６ａに入れられた硬貨は、両側面、前面、および後面に沿って滑り落ちる。
【００３３】
次に、この券売機１の動作について説明する。券売機１における乗車券の発券動作は、公知の券売機と同様である。ここでは、利用者が、硬貨を投入してキップを購入するときの券売機１の動作について簡単に説明する。利用者は、購入するキップの価値以上の硬貨を投入硬貨受皿６ａに入れる。投入硬貨受皿６ａは、その上面が上述したように、幅１２０ｍｍ、奥行き６０ｍｍ程度の大きさの矩形形状であるので、利用者は、複数枚の硬貨を一度に投入硬貨受皿６ａに入れることができる。投入硬貨受皿６ａに入れられた硬貨は、内周面に沿って滑り落ち、スリット１１を通り、硬貨処理部６に投入される。
【００３４】
硬貨処理部６は、投入された硬貨毎に、その金種や真偽を識別する。硬貨処理部６は、金種等が識別できなかった硬貨については、釣銭硬貨受皿６ｂに放出する。硬貨処理部６は、金種および真偽が識別できた硬貨を一時保留部（不図示）に保留する。硬貨処理部６は、一時保留部に保留した硬貨の合計金額（投入金額）を算出する。
【００３５】
券売機１は、操作部４において投入金額以下の乗車券（キップ）の選択を受け付けると、乗車券発行部５が選択された種類のキップを発券口５ａに放出する。また、券売機１は、今回発行したキップの価値が投入金額未満であれば、硬貨処理部６が利用者に対して釣銭を釣銭硬貨受皿６ｂに放出する。また、券売機１は、一時保留部に保留している硬貨を硬貨スタッカに収納する。
【００３６】
利用者は、発券口５ａに放出されたキップ、および釣銭硬貨受皿６ｂに放出された釣銭を受け取る。
【００３７】
釣銭硬貨受皿６ｂは、利用者が放出された釣銭を取り出しやすいように、その深さを１０ｍｍ程度にしている。
【００３８】
なお、券売機１は、キップ以外にも、定期券を購入や、プリペイドカードへのチャージ等も行える。また、キップの発券等にかかる料金の精算には、紙幣やカードも使用できる。
【００３９】
ここで、利用者が、投入硬貨受皿６ａに入れた硬貨の流れについて説明する。利用者が投入硬貨受皿６ａに入れた硬貨は、いずれかの内周面に沿って、スリット１１に向かって滑り落ちる。投入硬貨受皿６ａの側面を滑り落ちる硬貨は、その向きがスリット１１を通過す向きであるので、スリット１１を通って、硬貨処理部６に投入される。
【００４０】
また、投入硬貨受皿６ａの前面に沿って滑り落ちる硬貨は、その向きがスリット１１に直交する向き（スリット通過する向きに対して略９０度回転した向き）である。しかし、多くの場合、この硬貨は、その下端が投入硬貨受皿６ａの側面に当たったときに回転し、スリット１１を通過する。また、第２の傾斜面２２を、スリット１１に対して略垂直にしているので、硬貨の下端がスリット１１の周辺で当たって跳ねたときに、その硬貨が投入硬貨受皿６ａの外側に飛び出すのを抑えられる。
【００４１】
一方、投入硬貨受皿６ａの前面に沿って滑り落ちる硬貨の中には、この硬貨の下端が投入硬貨受皿６ａの側面に当たったときに回転せず、図７、および図８に示すように、前面に寄り掛かって停止するものがある。すなわち、硬貨が、硬貨処理部６に投入されず、投入硬貨受皿６ａ内に留まることがある。この場合には、第１の傾斜面２１に凹み２１ａを形成しているので、この凹み２１ａに指先を入れ、当該硬貨の先端を動かして、スリット１１を通過する向きに容易に回転させることができる。硬貨と、凹み２１ａとの間に隙間ができている。したがって、投入硬貨受皿６ａ内に留まった硬貨を簡単に回転させて硬貨処理部６に投入できる。
【００４２】
上述したように、硬貨が、スリット１１を通過できすに、底面に止まった場合に、この硬貨を指先等で動かして、スリット１１を通過させやすいように、底面（スリット１１が形成されている面）から、第２の傾斜面２２の上端（第１の傾斜面２１と、第２の傾斜面２２と、の境界位置）までの長さ（深さ）については、取り扱う硬貨の中で、最小径の硬貨（例えば、５０円硬貨）が第２の傾斜面２２に寄り掛かって停止したときに、その先端が第２の傾斜面２２の上端より突出する長さ、例えば３０ｍｍ、未満にするのが好ましい。
【００４３】
なお、第２の傾斜面２２に寄り掛かって停止している硬貨の下端は、第２の傾斜面２２の両側に位置する側面に当接し、スリット１１が形成されている底面よりも上方に位置する。
【００４４】
また、利用者が車椅子利用者である場合、車椅子を停止させた位置が、投入硬貨受皿６ａに対して硬貨を入れるのに適した位置から少しずれていた場合、親指以外の４指を投入硬貨受皿６ａに入れ、この４指の指先を第２の傾斜面２２に引っ掛け、車椅子を投入硬貨受皿６ａに近づけることができる。投入硬貨受皿６ａは、上述したように、本体の設置面から１ｍ程度の高さであるので、利用者は、無理なく手を入れることができる。このように、車椅子利用者であっても、簡単に、自分の体を投入硬貨受皿６ａに引き寄せることができる。したがって、車椅子利用者の感じる不便さが抑えられる。
【００４５】
しかも、第２の傾斜面２２は、スリット１１を形成した底面に対して垂直方向に立設させているので、体を引き寄せるために第２の傾斜面２２に引っ掛けた親指以外の４指の指先がすべるのを抑えられる。
【００４６】
また、この投入硬貨受皿６ａに肘を載せて、タッチパネル４ａ等の入力デバイスの操作も行えるので、操作性の向上も図れる。
【００４７】
なお、釣銭硬貨受皿６ｂを、上述した投入硬貨受皿６ａと同様の形状（但し、スリット１１は不要。）に構成し、車椅子利用者が自分の体を投入硬貨受皿６ａに引き寄せるのに使用してもよい。しかし、この場合には釣銭硬貨受皿６ｂが深くなる。したがって、利用者による釣銭の取り出しが不便になるので、あまり好ましくない。
【００４８】
また、上記実施形態では、投入硬貨受皿６ａの前面を、第１の傾斜面２１と、第２の傾斜面２２とで形成した例を示したが、全体を第１の傾斜面２１で形成してもよい。すなわち、上述した実施形態における、第１の傾斜面２１と、第２の傾斜面２２との傾斜角を同じにしてもよい。
【００４９】
また、第２の傾斜面２２は、第１の傾斜面２１よりも傾斜角が大きいとしたが、その傾斜角を反対に小さくしてもよい。
【００５０】
また、本願発明を券売機１に適用した場合を例にして説明したが、本願発明は、券売機１だけでなく、他の種類の物品販売装置、例えば飲料等の商品を販売する自動販売機、にも適用できる。
【符号の説明】
【００５１】
１…券売機
２…制御部
３…表示部
３ａ…表示器
４…操作部
４ａ…タッチパネル
５…乗車券発行部
６…硬貨処理部
６ａ…投入硬貨受皿
７…紙幣処理部
８…通信部
１１…スリット
２１…第１の傾斜面
２１ａ…凹み
２２…第２の傾斜面
【図１】
0005397240.tif 000002
【図２】
0005397240.tif 000003
【図３】
0005397240.tif 000004
【図４】
0005397240.tif 000005
【図５】
0005397240.tif 000006
【図６】
0005397240.tif 000007
【図７】
0005397240.tif 000008
【図８】
0005397240.tif 000009